(57)【特許請求の範囲】
【請求項１】
通信装置の動作を監視する通信ネットワークテスト装置と通信するための通信装置であって、
前記通信装置は、
前記通信装置に関連付けられた複数の通信ベアラを運用する手段と、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、
前記部分集合内の各通信ベアラが使用され、かつ、前記部分集合以外の各通信ベアラが使用されないテストに従って、前記通信ネットワークテスト装置と通信する手段と、
を備える。
【請求項２】
前記通信ネットワークテスト装置からメッセージを受信する手段をさらに備え、
前記メッセージは、前記部分集合内の各通信ベアラを識別するデータを含み、
前記判断する手段は、前記部分集合内の各通信ベアラを識別する前記データに基づいて前記部分集合を判断する
請求項１に記載の通信装置。
【請求項３】
前記通信ネットワークテスト装置からメッセージを受信する手段をさらに備え、
前記メッセージは、前記部分集合以外の各通信ベアラを識別するデータを備え、
前記判断する手段は、前記部分集合以外の各通信ベアラを識別する前記データに基づいて前記部分集合を判断する
請求項１に記載の通信装置。
【請求項４】
前記メッセージは、前記通信装置に関連付けられた前記複数の通信ベアラの各通信ベアラに関連付けられた少なくとも１つの個別のビットを含むビットパターンを備える
請求項２又は３に記載の通信装置。
【請求項５】
前記ビットのそれぞれは、前記通信ベアラが前記部分集合内である場合に、所定の値が設定される
請求項４に記載の通信装置。
【請求項６】
前記メッセージは、前記通信装置に関連付けられた前記複数の通信ベアラのデフォルトの通信ベアラに関連付けられた少なくとも１つの個別のビットを含むビットパターンを備える
請求項２又は３に記載の通信装置。
【請求項７】
前記ビットのそれぞれは、前記デフォルトの通信ベアラ及び任意の関連付けられた通信ベアラが前記部分集合内である場合に、所定の値が設定される
請求項６に記載の通信装置。
【請求項８】
前記メッセージは、前記部分集合の各通信ベアラについてのベアラ識別子（例えば、Evolved Packet System（EPS）ベアラID、又は、EBI）を含む
請求項２から７のいずれか１項に記載の通信装置。
【請求項９】
前記メッセージは、Non-Access Stratum（NAS）メッセージを含む
請求項２から８のいずれか１項に記載の通信装置。
【請求項１０】
前記NASメッセージは、少なくとも１つのRadio Resource Control（RRC）メッセージに組み込まれる
請求項９に記載の通信装置。
【請求項１１】
前記少なくとも１つのメッセージは、ダウンリンク情報転送メッセージを含む
請求項１０に記載の通信装置。
【請求項１２】
前記テストは、ループバックテストである
請求項１から１１のいずれか１項に記載の通信装置。
【請求項１３】
請求項１から１２のいずれか１項に記載の前記通信装置、及び、前記通信ネットワークテスト装置を備える通信システム。
【請求項１４】
通信装置の動作を監視する通信ネットワークテスト装置と通信するための通信装置により実行される方法であって、
前記方法は、
前記通信装置に関連付けられた複数の通信ベアラを確立し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストに従って、前記通信ネットワークテスト装置と通信する。
【請求項１５】
通信装置の動作を監視するための通信ネットワークテスト装置により実行される方法であって、
前記方法は、
前記通信装置と通信し、
前記通信装置に関連付けられた複数の通信ベアラのそれぞれを識別し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストを開始する（initiate）。
【請求項１６】
請求項１から１２のいずれか１項に記載の前記通信装置を制御する処理をコンピュータに実行させる制御プログラム。
【発明の詳細な説明】
【技術分野】
【０００１】
本発明は、通信システム及び部品並びにそれらの方法に関する。本発明は、３ＧＰＰ標準又はそれらと同等もしくは派生物に従って動作し、特定の、しかし排他的でない関連性のある無線通信システム及びそれらのデバイスを有する。
【背景技術】
【０００２】
無線通信システムは、多数の基地局の一つ及びコアネットワークを介して、ユーザ装置（User Equipment (UE)）のユーザに他のユーザとの通信を可能にする。一般的に、ＵＥは、例えば、携帯電話機等の携帯端末である。有効な又は接続された状態において、ネットワークが、ＵＥがどの基地局（又はそのセル）に所属するかを知り、ＵＥへデータを送信又はＵＥからデータを受信できるように、ＵＥは、ネットワークに登録され、基地局との無線リソース制御（Radio Resource Control (RRC)）接続を有する。基地局（すなわち、serving cell）は、ユーザ装置に対して移動性情報（mobility information）及びセキュリティパラメータを提供する。また、ＵＥは、Enhanced Packet Core （ＥＰＣ）ネットワーク、又は、略してコアネットワーク内の基地局、典型的には、ゲートウェイの先のエンドポイントにおいて、デフォルトのEvolved Packet System（ＥＰＳ）ベアラを確立する。ＥＰＳベアラは、ネットワークを介した伝送路を定義し、他の通信デバイス、例えば別のＵＥにより伝達され得る、ＵＥにＩＰアドレスを割り当てる。また、ＥＰＳベアラは、ＵＥに関連づけられるサブスクリプション（subscription）により定義され、ネットワークによるＵＥの登録後すぐに、モビリティ管理エンティティ（Mobility Management Entity （ＭＭＥ））により確立され、例えば、サービスの質、データレート、及びフロー制御パラメータのようなデータ伝送特性（data transmission characteristics）の集合を有する。
【０００３】
ＥＰＳベアラは、特定のＥＰＳベアラを有効化し（activate）、修正し（modify）、又は、無効化する（deactivate）必要がある場合にＵＥへ信号を送るＭＭＥにより管理される。それ故、ＵＥと通信ネットワークの間に２つの接続が常に存在する。すなわち、（ユーザプレーンとしても知られる）確立されたＥＰＳベアラを用いて伝送されるユーザデータについてのものと、（制御プレーンとしても知られる）ＥＰＳベアラそれ自身を管理するためのものである。
【０００４】
Ｅ−ＵＴＲＡＮと呼ばれるＵＴＲＡＮ（UMTS Terrestrial Radio Access Network）のLong Term Evolution (LTE)の一部として、ＵＥが、ＬＴＥコアネットワークリソースを用いる必要性のない最初のＵＥの伝送範囲内に存在する（又は、その範囲内として同一の基地局により供給される）別のＵＥとユーザデータを通信できる場合に、（例えば、直接のデバイス間（device-to-device (D2D)）、又は、局所中継（locally routed））通信に基づく近接（proximity）の機構（feature）を導入する計画がある。そのようなサービスは、デフォルト又は（通信の他の型に未だ使用される）他の従来型のＥＰＳベアラの代わりに、直接又は局所中継通信内で、移動通信装置により使用されるための、特別な中継ＥＰＳベアラを確立することにより実現できる。この直接又は局所中継通信は、特に、これらが限定される無線インタフェースにおける、利用可能なリソースのより良い利用という結果をもたらす。いわゆるサービスに基づく近接（Proximity-based Services (ProSe)）機能性は、参照によりここに組み込まれる内容、3GPP TR 22.803 (v12.1.0)標準ドキュメントに詳細に記述されている。
【０００５】
最近では、ＵＥにおけるProSe機能性を用いる中継機能性（relay functionality）の提供は、あるＵＥが別のＵＥへ又はネットワークからのシグナリングを中継する（relay）ことを可能にすることが提案されてきた。
【０００６】
上記機能性等により説明される追加の複雑性に起因して、各ネットワーク要素が標準（このケースでは３ＧＰＰ標準）の適切な集合に準拠して動作することを保証することが重要である。サービスに基づく近接は移動通信装置群（及び他のユーザ装置）の複雑性が著しく増加するため、それらが市場にリリースされる（又は通信ネットワークで使用中である間）前に移動通信装置群によるこれらの（及び類似する）機能性のテスト実装への強い要求が存在する。しかしながら、そのようなＵＥの特定の機能のテストは、同様に、移動通信装置によりサポートされる必要がある。
【０００７】
当業者に知られているように、いわゆるシステムシミュレータ（System Simulator (SS)）エンティティは、例えば、基地局又はユーザ装置のようなネットワーク要素の適合性（compliance）（及び／又は、性能）をテストするために使用され得る。ＳＳエンティティは、別のネットワーク要素の動作をシミュレートすることによりこれを行う（すなわち、それは「live」ネットワーク内でテストされるための装置と別の通信をするだろう。）。これに加えて、ＳＳエンティティは、例えば、有効化する／無効化する特徴、及び、動作モード（例えば、ノーマルモード、テストモード等）を設定するような、（移動通信装置がテストされている場合の）移動通信装置の動作パラメータを含む、全体のテストプロセスを制御する。
【０００８】
ＳＳエンティティは、ＳＳエンティティが（ＳＳエンティティから由来するデータユニットがＳＳエンティティへ転送され、又は、「ループバックされ（looped-back）」る）移動通信装置のいわゆるループバック機能を終了させる（terminate）１以上の通信経路を（遠隔に）設定できる移動通信装置のためのテストモードを有効化する。このことは、事実上、ＳＳエンティティがループバック通信経路（群）を経由して行われる移動通信装置による通信を監視できることを、意味する。そして、ループバック機能を終了させる通信経路（群）を用いて行われる通信を監視及び分析することにより、（標準の集合が認証される、及び／又は、製品は市場にリリースされる、ことに準拠（conformance）する場合に、）テストされている装置の動作（behaviour）が標準の関連性のある集合に規定されることと一致しているかどうかを判断できる。しかしながら、テストされている装置の動作（behaviour）が標準の関連性のある集合と一致していない場合、標準の関連性のある集合との適合が「live」通信システム内の装置を用いる前に達成され得るような、ふさわしい行動（例えば、装置の再設計（re-design）／再設定（re-configuration）／再較正（re-calibration））を判断できない。
【０００９】
特別な準拠テスト機能のために３ＧＰＰにより開発された関連する機構は、TS 36.509（E-UTRA周波数分割二重（frequency division duplex (FDD)）モード及び時分割二重（time division duplex (TDD)）モードにおけるユーザ機器について）及びTS 34.109（ＵＭＴＳシステムにおけるユーザ機器について、ＦＤＤ及びＴＤＤモードについて）に定義される。両方のドキュメントの内容は、参照によりここに組み込まれる。
【００１０】
要約すれば、上記仕様書は、各ＬＴＥ／ＵＭＴＳ移動通信装置が準拠テスト目的のための実装することを要求される機能及び有効化及び無効化方法を記載する。
【００１１】
ＵＥテストループ機能は、準拠テストのために、移動通信装置とＳＳエンティティの間の物理的な接続の存在、及び／又は、使用を要求することなしに、無線インタフェース経由で移動通信装置の分離された機能へのアクセスを提供する。しかしながら、移動通信装置は、例えば、テスト中に干渉を回避／減少し、それ故、テストの信頼性を向上する、無線通信手段（例えば、無線周波数（Radio Frequency (RF)）ケーブル）を用いるＳＳエンティティにも接続されることが明らかであろう。
【００１２】
E-UTRAについて、以下のループモードが定義されていた。
-      ＵＥテストループモードＡ
-      ＵＥテストループモードＢ
-      ＵＥテストループモードＣ
【００１３】
ＵＥテストループモードＡは、ＵＥがE-UTRAモードで動作している間、双方向データ無線ベアラのために、データパケット（例えば、Packet Data Convergence Protocol (PDCP) Service Data Units (SDUs)）のループバックを提供する。各双方向データ無線ベアラ上のＵＥにより受信されるダウンリンクのPDCP SDUsは、PDCP SDU内容及び関連づけられたＥＰＳベアラ内容のTraffic Flow Template (TFT)にかかわらず、同じ無線ベアラで戻される。
【００１４】
ＵＥテストループモードＢは、ＵＥがE-UTRA, UTRA, GSM（登録商標）/GPRS 又は CDMA2000モードで動作される間、双方向ＥＰＳベアラのために、PDCP SDUs (E-UTRA 及び UTRA)、Sub Network Dependent Convergence Protocol (SNDCP) Protocol Data Units (PDUs)（ＧＳＭ（登録商標）／ＧＰＲＳ内で）、及び、Radio Link Protocol (RLP) PDUs (CDMA2000)のループバックを提供する。ＵＥテストループモードＢは、１以上のＰＤＮ接続が確立され、または、１以上のprimary Packet Data Protocol (PDP)コンテクストがアクティブである場合には、使用されない。E-UTRA, UTRA 又は GSM（登録商標）/GPRSで動作する場合、全双方向データ無線ベアラ上で、ＵＥにより受信されるダウンリンクPDCP SDUs 又は SNDCP PDUsは、PDCP SDU 又は SNDCP SDUの範囲で、Transmission Control Protocol (TCP) / User Datagram Protocol (UDP) / Internet Protocol (IP)情報をマッチングするＴＦＴを備えるＥＰＳベアラコンテクストに関連付けられたデータ無線ベアラ上でＵＥにより戻される。CDMA2000モードで動作する場合、全双方向データ無線ベアラ上で、ＵＥにより受信されるダウンリンクRLP PDUsは、RLP PDU内容及び関連付けられたＥＰＳベアラコンテクストのＴＦＴにかかわらず、最小のアイデンティティを備えるデータ無線ベアラ上でＵＥにより戻される。
【００１５】
ＵＥテストモードＣは、ＵＥがEvolved MBMS (E-MBMS)/E-UTRAモードで動作している間、既知のMBMS traffic channel (MTCH)上で、成功裏に受信されたMultimedia Broadcast and Multicast (MBMS)パケットの集計を提供する。
【先行技術文献】
【非特許文献】
【００１６】
【非特許文献１】3GPP TR 22.803 (v12.1.0) standards document
【非特許文献２】3GPP TS 36.509 technical specification
【非特許文献３】3GPP TS 34.109 technical specification
【発明の概要】
【発明が解決しようとする課題】
【００１７】
しかしながら、これらのループモードのそれぞれは、あるテストシナリオに限定され、比較的柔軟性がない。例えば、ループバック機能が採用される間、これらのループモードは、ある機能（例えば、ＵＥ中継の中継機能(UE-R)）の提供を、影響を受けずに継続することができない。また、中継機能性が実装される場合、現在のテストモードの制約のために上記標準にこの中継機能性の準拠をテストすることが現時点ではできない。
【００１８】
例えば、ループモードＡは、ＥＰＳベアラ（すなわち、ＰＤＣＰレベルにおける）ではなく、無線ベアラをループバックすることだけができる。このループバックモードについて、ＳＳは、無線ベアラがループバック機能に関連付けられる必要があり得るＵＥを示す。１ＰＤＮ接続が有効化される場合に、ループモードＢのみが動作する。このことは、仕様書からの既知の制約である。このループバックモードは、異なるＥＰＳベアラを区別することができず、全ての有効化されたベアラは、アップリンクでの伝送に関して、PDCP SDUをUL TFT SAP (Service Access Point)へ送信する単独のループバックエンティティで終了させる。ループモードＣは、ＭＢＭＳに制限される。
【課題を解決するための手段】
【００１９】
一態様において、本発明は、通信装置の動作を監視する通信ネットワークテスト装置と通信するための通信装置を提供し、前記通信装置は、前記通信装置に関連付けられた複数の通信ベアラを運用する手段と、テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、前記部分集合内の各通信ベアラが使用され、かつ、前記部分集合以外の各通信ベアラが使用されないテストに従って、前記通信ネットワークテスト装置と通信する手段と、を備える。
【００２０】
前記通信装置は、前記通信ネットワークテスト装置からメッセージを受信する手段をさらに備えてもよく、前記メッセージは、前記部分集合内の各通信ベアラを識別するデータを含み、前記判断する手段は、前記部分集合内の各通信ベアラを識別する前記データに基づいて前記部分集合を判断する。
【００２１】
別の態様において、本発明は、通信装置の動作を監視するための通信ネットワークテスト装置を提供し、前記通信ネットワークテスト装置は、前記通信装置と通信する手段と、前記通信装置に関連付けられた複数の通信ベアラのそれぞれを識別する手段と、テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、前記部分集合内の各通信ベアラが使用され、かつ、前記部分集合以外の各通信ベアラが使用されないテストを開始する（initiating）手段と、を備える。
【００２２】
前記通信ネットワークテスト装置は、前記通信装置へメッセージを送信してもよく、前記メッセージは、前記部分集合内の各通信ベアラを識別するデータを含む。または、前記通信ネットワークテスト装置は、前記通信装置へメッセージを送信してもよく、前記メッセージは、前記部分集合以外の各通信ベアラを識別するデータを含む。この場合、前記通信装置は、前記部分集合以外の各通信ベアラを識別する前記データに基づいて前記部分集合を判定してもよい。
【００２３】
前記メッセージは、前記通信装置に関連付けられた前記複数の通信ベアラの各通信ベアラに関連付けられた少なくとも１つの個別のビットを含むビットパターンを備えてもよい。この場合、前記ビットのそれぞれは、前記通信ベアラが前記部分集合内である場合に、所定の値が設定されてもよい。
【００２４】
または、前記メッセージは、前記通信装置に関連付けられた前記複数の通信ベアラのデフォルトの通信ベアラに関連付けられた少なくとも１つの個別のビットを含むビットパターンを備えてもよい。この場合、前記ビットのそれぞれは、前記デフォルトの通信ベアラ及び任意の関連付けられた通信ベアラが前記部分集合内である場合に、所定の値が設定されてもよい。
【００２５】
前記メッセージは、前記部分集合の各通信ベアラについてのベアラ識別子、例えば、Evolved Packet System（EPS）ベアラID（又は、EBI）を含めてもよい。前記メッセージは、Non-Access Stratum（NAS）メッセージを含めてもよい。この場合、前記NASメッセージは、少なくとも１つのRadio Resource Control（RRC）メッセージに組み込まれてもよい。前記少なくとも１つのメッセージは、ダウンリンク情報転送メッセージを含めてもよい。
【００２６】
前記開始する手段により開始される前記テストは、ループバックテストであるとよい。前記通信ネットワークテスト装置は、前記部分集合の前記少なくとも１つの通信ベアラを用いて前記通信装置へテストパケットを送信してもよい。前記通信ネットワークテスト装置は、前記テストの一部として、テストパケットを前記通信装置から受信してもよい。
【００２７】
前記複数の通信ベアラは、少なくとも１つのＥＰＳ通信ベアラを含むとよい。
【００２８】
前記判断する手段は、前記部分集合が前記通信装置の少なくとも１つの特定の機能性（例えば、中継機能性（relay functionality）、又は、非中継機能性（non-relay functionality））に関連付けられていない通信ベアラであるように、通信ベアラを選択するとよい。または、前記判断する手段は、前記部分集合が前記通信装置の少なくとも１つの特定の機能性（例えば、中継機能性（relay functionality）、又は、非中継機能性（non-relay functionality））に関連付けられる通信ベアラであるように、通信ベアラを選択するとよい。前記判断する手段は、前記テストが開始されていた場合、前記テストが終了されることになっている前記部分集合の少なくとも１つの通信ベアラを判断するとよい。
【００２９】
前記通信ネットワークテスト装置は、前記テストが終了されることになっている前記部分集合の少なくとも１つの通信ベアラの終了（termination）を開始する（initiate）とよい。前記通信ネットワークテスト装置は、前記通信装置へ前記テストを終了するためのメッセージを受信してもよく、前記テストを終了するためのメッセージは、前記テストが終了されることになっている各通信ベアラを識別するデータを含む。
【００３０】
前記テストを終了するためのメッセージは、前記通信装置に関連付けられた前記複数の通信ベアラの各通信ベアラに関連付けられた少なくとも１つの個別のビットを含むビットパターンを備えるとよい。この場合、前記ビットのそれぞれは、前記テストが前記通信ベアラについて終了されることになっている場合、所定の値が設定されるとよい。前記メッセージは、前記テストが終了されることになっている前記部分集合の各通信ベアラについてのベアラ識別子（例えば、EPSベアラID、又は、EBI）を含むとよい。または、前記メッセージは、ＮＡＳメッセージを含むとよい。この場合、前記NASメッセージは、少なくとも１つのRRCメッセージに組み込まれるとよい。前記少なくとも１つのメッセージは、ダウンリンク情報転送メッセージを含むとよい。
【００３１】
さらに別の態様において、本発明は、通信装置の動作を監視する通信ネットワークテスト装置と通信するための通信装置を提供し、前記通信装置は、前記通信装置に関連付けられた複数の通信ベアラを運用し、テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、前記部分集合内の各通信ベアラが使用され、かつ、前記部分集合以外の各通信ベアラが使用されないテストに従って、前記通信ネットワークテスト装置と通信するプロセッサを備える。
【００３２】
さらなる態様において、本発明は、通信装置の動作を監視するための通信ネットワークテスト装置を提供し、前記テスト装置は、前記通信装置と通信し、前記通信装置に関連付けられた複数の通信ベアラのそれぞれを識別し、テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determine）、前記部分集合内の各通信ベアラが使用され、かつ、前記部分集合以外の各通信ベアラが使用されないテストを開始する（initiate）プロセッサを備える。
【００３３】
本発明は、上記通信装置及び上記通信ネットワークテスト装置を備える通信システムも提供する。本発明は、全てのテストシステムエンティティ及びユーザ装置が開示されるために、対応する方法、及び、対応するユーザ装置又はネットワーク通信装置上で実行するためのコンピュータプログラム、又は、非一時的なコンピュータ可読媒体も提供する。
【発明の効果】
【００３４】
本発明によれば、上記問題を克服又は少なくとも部分的に軽減する方法及び装置を提供することを実現できる。
【図面の簡単な説明】
【００３５】
本発明の実施形態は、一例として、添付図面を参照して説明される。
【図１】図１は、本発明の実施形態に適用されるセルラ電気通信システムを図式的に示す。
【図２】図２は、図１に示される通信システムに使用されるＥＰＳベアラ構造を示す。
【図３】図３は、図１に示される通信システムに使用されるベアラ構成に中継されるコアネットワークと比較される中継ベアラ構造を図式的に示す。
【図４】図４は、図１に示される通信システムが有する移動通信装置の互換性を検証するための典型的なテスト環境シナリオを図式的に示す。
【図５】図５は、図３に示すシステムの一部を形成するテストシステムエンティティの機能性のいくつかを示す機能ブロック図である。
【図６】図６は、図１に示すシステムの一部を形成する移動通信装置の機能性のいくつかを示す機能ブロック図である。
【図７】図７は、図１に示す通信システムが有する移動通信装置の互換性を検証するための本発明の実施形態にかかるテスト環境を図式的に示す。
【図８】図８は、本発明の実施形態にかかる移動通信装置について、テストシステムエンティティがループバック接続の有効化を制御する方法を示すタイミング図である。
【発明を実施するための形態】
【００３６】
（概観）
図１は、移動通信装置（この例では、携帯電話機（mobile telephones ‘MTs’））３−１から３−３のユーザが、お互いに、及び、E-UTRAN基地局５−１及び５−２並びにコアネットワーク７を経由して他のユーザと通信ができる通信システム（通信ネットワーク）１を図式的に示す。当業者に理解されるように、３つの移動通信装置３及び２つの基地局は、説明のために図１に示され、他のものは実施されるシステムに存在する。従来では、移動通信装置３−１及び３−２がお互いに通信する場合、ユーザプレーンデータは、ユーザ装置（移動通信装置）３−１から基地局５−１へ中継され（routed）、コアネットワーク７を経由して、基地局５−１へ戻り、移動通信装置３−２へ送られる（そして、同様に、ユーザプレーンデータは反対方向へ送られる）。同様に、移動通信装置３−１及び３−３がお互いに通信する場合、ユーザプレーンデータは、従来通り、ユーザ装置（移動通信装置）３−１から基地局５−１へ中継され、コアネットワーク７を経由して、基地局５−２、及び、移動通信装置３−３へ送られる（そして、同様に、ユーザプレーンデータは反対方向へ送られる）。
【００３７】
上述された通信経路は、データが関連性のあるサブスクリプションパラメータに従って移動通信装置３の間で伝送され、移動通信装置３により要求されるサービス基準（service criteria）及びネットワークに課されるセキュリティ基準（security criteria）を遵守することを保証する。しかしながら、そのような従来の取り決めは、２つの移動通信装置３がお互いの無線通信範囲内であるような基地局５内及びコアネットワーク７内のリソースの無駄が多く、その代わりに、例えば、移動通信装置３−１及び３−２の間の各終端に矢印がある線により図１に示すように、直接ユーザプレーン通信リンク（direct user plane communication link）を用いることができる。その上、移動通信装置３−１は、移動通信装置３−１及び３−３並びにserving基地局５−２の間の一終端に矢印がある線により示されるように、ユーザデータが移動通信装置３−３からネットワークへ中継されることを可能にする中継機能性が備わっている。
【００３８】
それ故、本実施形態では、通信システム（通信ネットワーク）１は、互換性のある移動通信装置３の間のデバイス間（device-to-device）、局所中継（locally routed）、及び、中継される（relayed）ユーザプレーン通信（user plane communication）もサポートする。
【００３９】
図１は、通常は実装される通信システムの一部を形成しない、いわゆるシステムシミュレータ（system simulator (SS)）エンティティ１１も示す。むしろ、ＳＳエンティティ１１は、例えば、様々なネットワーク要素と他のネットワーク要素との互換性をテストするための、及び、これらのネットワーク要素と適用可能な標準との適合性（compliance）を検証するためのテスト目的に使用される。
【００４０】
本実施形態では、ＳＳエンティティ１１は、一つの移動通信装置３とサービスに基づく近接を用いる適用可能な標準との適合性を検証するために使用される。他の通信ベアラの通常のルーティングを維持するか、又は、単独で、有利なベアラを介してループバックを適用する間に、ＳＳエンティティ１１は、選択された通信ベアラ（例えば、中継サービスを提供するために要求されない通信ベアラ）をループバックする（すなわち、ＳＳエンティティ１１へ経路変更して戻す（re-route back））ために使用される、移動通信装置３のためにループバック機能性を有効化することによりこれを行う。
【００４１】
ＳＳエンティティ１１のこの「選択的な（selective）」ループバック機能性は、全ての他の通信ベアラが影響を受けないままにする利益を有するループバック機能と関連付けられるためにEPSベアラの識別を提供することにより実現される。このことは、選択された（識別された）ＥＰＳベアラがテストされている間、テスト手順の一部ではない任意のＥＰＳベアラについては通常の機能性が維持され得ることを保証する。このことは、サービスに基づく近接、例えば、移動通信装置３−１の中継機能性との適合性に関する移動通信装置３における様々なＥＰＳベアラ設定のテストを可能とすることの優位点である。
【００４２】
このアプローチは、複数の継続するサービスに関連する機能性が、テストされている通信装置（例えば、ユーザ装置、及び／又は、ネットワーク要素）により正確に実装されているか否かの検証も可能とする。
【００４３】
（ＥＰＳベアラ構造）
本発明の実施形態の詳細を説明する前に、移動通信装置３と基地局５／コアネットワーク７との間のデータを伝送するために使用されるＥＰＳベアラの構造（architecture）を提示する（set out）ことは有益であろう。図２は、移動通信装置３の間で直接（Ｄ２Ｄ）ベアラ（例えば中継ベアラ）を適合するために拡張されるようなＥＰＳ構造の例を示す。そして、詳細は、参照によりここに組み込まれる内容、3GPP TS 23.401 V11.5.0に見出すことができる。要約すれば、ＥＰＳベアラは、次の要素により実現される。
【００４４】
-            移動通信装置３において、UL TFT (Uplink Traffic Flow Template)は、トラフィックフロー集合をアップリンク方向のＥＰＳベアラに対応付ける（map）。
-            PDN GW (Packet Data Network Gateway)において、DL TFT (downlink Traffic Flow Template)は、トラフィックフロー集合をダウンリンク方向のＥＰＳベアラに対応付ける。
-            （TS 36.300 V11.5.0に定義される）無線ベアラは、例えば、サービスの品質、トラフィック量、周波数割り当て、変調方式（modulation scheme）、同期（synchronisation）、multiple-input and multiple-output (MIMO)構成等の、関連づけられた特質（characteristics）の特定の集合（set）を有する２点間の無線リンクである。無線ベアラは、ユーザデータ又は制御データのいずれかの転送のために、より高いレイヤへレイヤ２により提供されるチャネルとして知られる。無線ベアラが制御データの送信に用いられる場合、Signaling Radio Bearer (SRB)と呼ばれる。無線ベアラは、移動通信装置及び基地局５の間のＥＰＳベアラのパケットを転送する。移動通信装置３があるサービスを利用する場合はいつでも、そのサービスは常に、関連づけられた送信パラメータを定義するために、レイヤ２及び物理レイヤ構成を特定する無線ベアラに関連づけられる。しかしながら、これらの関連づけられたパラメータは、通信の２つのエンドポイント及びシステムリソースの現在の利用可能性により課される現在の要求によって、無線ベアラの存続期間（lifetime）中、任意の時間に更新され得る。無線ベアラが存在する場合、ＥＰＳベアラとこの無線ベアラとの間で一対一の対応付けが存在する。
−  Ｓ１ベアラは、基地局５及びServing GW８の間のＥＰＳベアラのパケットを転送する。
−  E-RAB (E-UTRAN Radio Access Bearer)は、TS 36.300 V11.5.0に規定されるように、Ｓ１ベアラと対応する無線ベアラの連結と呼ぶ。
−  Ｓ５／Ｓ８ベアラは、Serving GW８とPDN GW１０の間のＥＰＳベアラのパケットを転送する。
−  移動通信装置３は、アップリンク内のトラフィックフロー集合及び無線ベアラの間の対応付けを生成するために、アップリンクパケットフィルタと無線ベアラの間の対応付けを格納する。
−  PDN GW１０は、ダウンリンク内のトラフィックフロー集合及びＳ５／Ｓ８ベアラの間の対応付けを生成するために、ダウンリンクパケットフィルタとＳ５／Ｓ８ベアラの間の対応付けを格納する。
−  基地局５は、アップリンク及びダウンリンクの両方で、無線ベアラとＳ１ベアラの間の対応付けを生成するために、無線ベアラとＳ１ベアラの間の一対一の対応付けを格納する。
−  Serving GW８は、アップリンク及びダウンリンクの両方で、Ｓ１ベアラとＳ５／Ｓ８ベアラの間の対応付けを生成するために、Ｓ１ベアラとＳ５／Ｓ８ベアラの間の一対一の対応付けを格納する。
【００４５】
PDN GW１０は、ＰＤＮ接続内のＥＰＳベアラに割り当てられたＴＦＴ内のダウンリンクパケットフィルタに基づいて、ダウンリンクパケットを異なるＥＰＳベアラへ送る。同様に、移動通信装置３は、ＰＤＮ接続内のＥＰＳベアラに割り当てられたＴＦＴ内のアップリンクパケットフィルタに基づいて、アップリンクパケットを異なるＥＰＳベアラへ送る。
【００４６】
（EPS及び無線ベアラ）
図３は、図１に示される通信システムに使用される中継ベアラ構造を図式的に示す。
【００４７】
一般的に通信システムにおいて、ベアラは、パイプラインデータが流れる通信システム内の２以上の地点を接続するパイプラインとして定義され得る。それ故に、EPSベアラは、Evolved Packet System（例えば、コアネットワーク７）すなわち移動通信装置３−１及びＰ−ＧＷ１０の間を横切って送信されるデータに対するパイプラインとしてみなされる。移動通信装置３−１に対する端末相互間サービス（end-to-end service）を提供するために、P-GW１０は、（他のエンドポイントがコアネットワーク７により供給されないとすれば）通信のエンドポイント１２に向かって、ＥＰＳベアラを外部ベアラ（すなわち、コアネットワーク７の外部に存在するベアラ）で補う。エンドポイント１２がコアネットワーク７により供給される場合、外部ベアラは、エンドポイント１２に関連付けられ、一致し（かつ同様に形成される）ＥＰＳベアラにより置換される。
【００４８】
ＬＴＥ通信システムで使用されるＥＰＳベアラは、複数のコンポーネント、つまり、Ｐ−ＧＷ１０とＳ−ＧＷ８の間のＳ５／Ｓ８ベアラ、及び、Ｓ−ＧＷ８と移動通信装置３−１の間のE-UTRAN Radio Access Bearer (E-RAB)であると考えることができる。E-RABはそれ自体、Ｓ−ＧＷ８と基地局５の間のＳ１ベアラ、及び、基地局５と移動通信装置３−１の間の無線ベアラにさらに分けられる。
【００４９】
こうしてみられるように、コアネットワーク７を介してＥＰＳベアラを提供するために、多くのベアラコンポーネント、及び、多くのネットワークエンティティが使用される。コアネットワーク７による移動通信装置群３の登録時、移動通信装置群３は、少なくとも一つの、すなわち、デフォルトのＥＰＳベアラを確立し、その後、それらは、例えば、移動通信装置群３のユーザにより使用される各通信サービスの型に対するＥＰＳベアラをさらに確立できる。各ＥＰＳベアラは、異なる通信サービスの異なる要求のためのサポートを提供するために、（例えば、ＩＰアドレス、データ転送特性（data transmission characteristics）、サービスの質、データレート、及び、フロー制御パラメータ等のような）それ自身が関連付けられた設定を有することができる。
【００５０】
本明細書に記載される実施形態は、２つの移動通信装置３−１及び３−３の間で直接的に、及び、中継ＥＰＳベアラの場合Ｐ−ＧＷ１０を介して、送信される（routed）中継ＥＰＳベアラ（Relay EPS bearer）、及び、中継無線ベアラ（Relay radio bearer）を備える「中継（Relay）」ベアラを利用する。
【００５１】
こうして示されるように、中継される移動通信装置のための端末相互間サービスは、エンドポイント１２に対して、移動通信装置３−１と３−３の間及び移動通信装置３−３とＰ−ＧＷ１０の間の中継ＥＰＳベアラ、並びに、他のベアラを用いて実装され得る。
【００５２】
（ループバックシナリオ）
図４は、図１に示される通信システム１が有する移動通信装置３の互換性を検証するための典型的なテスト環境シナリオを図式的に示す。これらのシナリオにおいて、中継機能性を有する移動通信装置３−１はテストされている。中継移動通信装置３−１は、（基地局５−１又は適切に構成されたＳＳエンティティ１１を経由して）コアネットワーク７が備える通常のＥＰＳベアラを維持し、同時に、別の移動通信装置３−３又は適切に構成されたＳＳエンティティ１１から／に向けて中継通信（relaying communication）についての中継ベアラもまた維持する。
【００５３】
第１のシナリオに見られるように、移動通信装置３−１は、実際のネットワーク環境における、従来型の基地局５−１及び従来型の移動通信装置３−２を用いてテストされる。しかしながら、このテスト設定の要素が適合性テストの特定の目的のために設定されていないかったために、それらがこの種のテストに関連するいくつかの（場合により限定される）機能性をサポートできるにもかかわらず、この設定は、テストされている移動通信装置３−１の可能な非適合及び／又は故障において十分なフィードバックを提供できない。
【００５４】
第２のシナリオにおいて、移動通信装置３−１は、その正規のＥＰＳベアラ（群）及びその中継ベアラのそれぞれをテストするために、２つのＳＳエンティティを用いてテストされる。この設定は、テストされる移動通信装置３−１の可能な非適合及び／又は故障において十分なフィードバックを提供する。しかしながら、移動通信装置３の動作における信頼性のあるフィードバックを提供するために、適合性テストの間に同期される必要がある、２つのSSエンティティを要求する。
【００５５】
第３のシナリオにおいて、移動通信装置３−１は、「one box」ソリューションとして正規のEPSベアラ（群）と中継ベアラの両方をテストするために、単独のSSエンティティ１１−１Ｂを用いてテストされる。この設定は、テストされる移動通信装置３−１の可能な非適合及び／又は故障において最も十分なフィードバックを提供する。
【００５６】
（システムシミュレータエンティティ）
図５は、図１に示すシステムシミュレータエンティティ１１の機能ブロック図を示す。示されるように、システムシミュレータエンティティ１１は、１以上のアンテナ５３を経由して他のエンティティへの信号を送信し、他のエンティティからの信号を受信する送受信回路５１を有する。システムシミュレータエンティティ１１は、システムシミュレータエンティティ１１の動作を制御するためのコントローラ５７を有する。コントローラ５７は、メモリ５９に関連付けられる。必ずしも図５に示されるわけではないが、システムシミュレータエンティティ１１は、当然、従来型のシステムシミュレータエンティティ（例えば、ユーザインタフェース５５）の通常の機能の全てを有し、適宜、ハードウェア、ソフトウェア及びファームウェアの任意の一つ又は任意の組合せにより提供され得る。ソフトウェアは、メモリ５９にプレインストールされ、及び／又は、例えば、通信システム（通信ネットワーク）１又はリムーバブルデータストレージデバイス（removable data storage device (RMD)）からダウンロードされ得る。コントローラ５７は、この例では、メモリ５９に格納されたプログラム命令又はソフトウェア命令により、システムシミュレータエンティティ１１の全体の動作を制御する構成をとる。図５に示されるように、これらのソフトウェア命令群は、他のもの、オペレーティングシステム６１、通信制御モジュール６３、無線リソース制御（radio resource control (RRC)）モジュール６５、シミュレーションモジュール６６、及び、ループバックモジュール６７内に含む。
【００５７】
通信制御モジュール６３は、システムシミュレータエンティティ１１と移動通信装置３、及び／又は、任意の他のテスト装置エンティティ（test equipment entities）の間の接続を制御するための制御信号を処理する（handle）（例えば、生成、送信及び受信）ことができる。通信制御モジュール６３は、移動通信装置３へ送信されるアップリンクデータ及び制御データの分離フローも制御する。
【００５８】
ＲＲＣモジュール６５は、ＲＲＣプロトコルに従ってフォーマットされた制御信号を処理する（handle）（例えば、生成、送信及び受信）ことができる。ＲＲＣモジュール６５は、特定のループバックテストに関連付けられるための移動通信装置３のＥＰＳベアラを識別するためのNon-Access Stratum (NAS)シグナリングを、移動通信装置３のためのＲＲＣシグナリングメッセージ内に含めることもできる。
【００５９】
シミュレーションモジュール６６は、任意の特定のネットワークエンティティ（例えば、基地局、コアネットワークエンティテイ、及び／又は、携帯機器）の機能の実行が要求される時に、システムシミュレータエンティティ１１にそれを実行させるために、システムシミュレータエンティティ１１の動作（behaviour）を制御する。
【００６０】
ループバックモジュール６７は、テストされる装置の対応するモジュール（例えば、移動通信装置３のループバックモジュール８９）とインタフェースし、それによって、例えば、その装置により送信又は受信されたデータユニットに基づき、テストされる装置の動作を監視することができる。
【００６１】
（移動通信装置）
図６は、図１に示す中継移動通信装置３−１の機能ブロック図である。図６に示すように、移動通信装置３は、１以上のアンテナ７３を経由して、基地局５、及び／又は、他の移動通信装置３（及び／又は、基地局／移動通信装置として構成されるＳＳエンティティ１１）への信号を送信し、それらから信号を受信することができる送受信回路７１を有する。移動通信装置３は、移動通信装置３の動作を制御するためのコントローラ７７を有する。コントローラ７７は、メモリ７９に関連付けられ、送受信回路７１と接続される。必ずしも図６に示されるわけではないが、移動通信装置３は、当然、従来型の移動通信装置３（例えば、ユーザインタフェース７５）の通常の機能の全てを有し、適宜、ハードウェア、ソフトウェア及びファームウェアの任意の一つ又は任意の組合せにより提供され得る。ソフトウェアは、メモリ７９にプレインストールされ、及び／又は、例えば、通信ネットワーク又はリムーバブルデータストレージデバイス（removable data storage device (RMD)）からダウンロードされ得る。
【００６２】
コントローラ７７は、この例では、メモリ７９に格納されたプログラム命令又はソフトウェア命令により、移動通信装置３の全体の動作を制御する構成をとる。図６に示されるように、これらのソフトウェア命令群は、他のもの、オペレーティングシステム８１、通信制御モジュール８３、直接通信モジュール８５、ＲＲＣモジュール８７、及び、ループバックモジュール８９内に含む。
【００６３】
通信制御モジュール８３は、移動通信装置３、及び、他の移動通信装置３、基地局５、又は、（移動通信装置及び／又は基地局をシミュレートする）ＳＳエンティティ１１の間の接続を制御するための制御信号を処理する（handle）（例えば、生成、送信及び受信）ことができる。通信制御モジュール８３は、他の移動通信装置３、基地局５、及び、ＳＳエンティティへ送信されるアップリンクデータ及び制御データの分離フローも制御する。
【００６４】
直接通信モジュール８５は、デバイス間通信経路を設定すること（例えば中継機能性に基づくProSeをサポートすること）を通信制御モジュール８３に命令することができる。
【００６５】
ＲＲＣモジュール８７は、ＲＲＣプロトコルに従ってフォーマットされた制御信号を処理する（handle）（例えば、生成、送信及び受信）ことができる。ＲＲＣモジュール８７は、ループバック機能に関連付けられるための移動通信装置３の任意のＥＰＳベアラを識別する情報を、ＳＳエンティティ１１から受信されたＲＲＣシグナリングメッセージ内で、識別することもできる。
【００６６】
ループバックモジュール８９は、ＳＳエンティティ１１（例えば、ループバックモジュール６７）の対応するモジュールへループバックするための通信ベアラを管理する（manage）（例えば、設定、修正、終了）ことができ、それによって、移動通信装置３により送信又は受信されたデータユニットを監視することを促進する。
【００６７】
（動作）
より詳細な説明は、サービスに基づく近接を実装する移動通信装置３をテストすることで、（図７及び図８を参照して）与えられる。
【００６８】
図７は、図１に示す通信システム１が有する移動通信装置３の互換性を検証するための本発明の実施形態にかかるテスト環境を図式的に示す。
【００６９】
特に、移動通信装置３のテストが示される。図７の例では、中継機能に関連するベアラは、テストモードが移動通信装置３で有効化されないように独立して動作するが、中継機能に関連付けられていない移動通信装置３のいくつかは、移動通信装置３のループバック機能に接続される。
【００７０】
他者がループバック機能を用いてテストされる間にいくつかのベアラの通常の動作が維持される選択的なループバックを適用する能力は、それらのアイデンティティ（例えば、TS 24.301の9.3.2に規定されるようなＥＰＳベアラのアイデンティティ）に応じてＥＰＳベアラを単独に特定するための専用の識別子を用いて達成される。
【００７１】
この新規な識別情報における、考え得る単なる例示の実装は以下の表１に与えられる。
【表１】
0006269659.tif 000002
【００７２】
見られるように、表１は、関連づけられたＥＰＳベアラアイデンティティ（EPS Bearer Identity (EBI)）をそれぞれ有する１６個のＥＰＳベアラを示す。個別のＥＢＩは、テスト用の独自のベアラを識別するための情報要素の２オクテット（バイト）を用いて識別される。例えば、選択的ループバック機能性は、ループバック機能が適切な値で有効化されるために必要な、ＥＰＳベアラのＥＢＩに対応するビットを設定することにより実装され得る。
【００７３】
上記指標（indication）は、相対的に低量の情報を備えるため、選択されたＥＰＳベアラのためのループバック機能性を有効化するために移動通信装置３へ送信されるシグナリングメッセージに、それを含めることが有益である。
【００７４】
例えば、この実施形態では、ＥＢＩは、特定のＥＰＳベアラに関する有効化／無効化ループバック機能性のためのループバック制御メッセージ（例えば、CLOSE UE TEST LOOP 及び／又は、OPEN UE TEST LOOPメッセージ）内の２オクテットの情報要素（information element (IE)）に含まれる。
【００７５】
本実施形態の変更では、ループバックモードは、Access Point Name (APN)に基づいて適用され得る。この場合、ループバックモードが適用される（又はループバックモードが適用されない）ＡＰＮは、移動通信装置３（すなわち、上述したように任意のＥＰＳベアラの指標（indication）の代わりに又は追加して）に示される。この場合、ＳＳエンティティ１１は、そのＡＰＮについてのデフォルトベアラを識別すること（すなわち、ループバック有効化を表す値へのそのベアラに対応するビットを設定すること）により特定のＡＰＮの指標（indication）を提供できる。移動通信装置３がＡＰＮ（に関するデフォルトベアラ）の指標（indication）を受信する時、移動通信装置３は、示されたデフォルトＥＰＳベアラ（群）及びそのＡＰＮに関連付けられた任意の専用ＥＰＳベアラにループバック機能性を適用する。
【００７６】
図８は、移動通信装置３について、テストシステムエンティティ（ＳＳエンティティ）１１がループバック接続の有効化及び無効化を制御する方法を示すタイミング図である。
【００７７】
初めに、ステップＳ６０１において、移動通信装置３は、attach手続を開始し（initiate）、コアネットワーク７とのＰＤＮ接続を確立しようとすることを示す（indicate）。この手続は、適切にフォーマットされたATTACH REQUESTメッセージ、同様にこのメッセージに含む「PDN Connectivity Request」を生成し、（送受信回路７１を介して）ＳＳエンティティ１１へ送信することが、（そのＲＲＣモジュール８７を用いる）移動通信装置３により実行される。移動通信装置３がＳＳエンティティ１１とは異なるネットワークエンティティ（例えば、ＭＭＥ９）へこのメッセージを送信する目的であったことは明らかであろう。
【００７８】
しかしながら、本実施形態では適合性テストが実行されるため、ＳＳエンティティ１１は、任意のベアラ有効化に先立って移動通信装置３内でテストモードを有効化するために、（ステップＳ６０３において）非ＲＲＣメッセージを転送するための適切なダウンリンクＲＲＣメッセージに組み込まれる、移動通信装置３へのACTIVATE TEST MODEメッセージ（例えば、「DLInformationTransfer message」）を生成し、（そのＲＲＣモジュール６５及び送受信回路５１を用いて）送信する。適切なＩＥ（例えば「UE test loop mode」ＩＥ）をそのテストモードに関連付けられた値に設定することにより、３つの従来型のテストモード（Ａ，Ｂ又はＣ）の一つを用いるよりむしろ、異なる値は、選択的なＥＰＳベアラループバックテスト機能性と共に使用するための新たなテストモードを開始するために使用される。しかしながら、従来型のテストモード（Ａ，Ｂ又はＣ）の一つは、選択的なＥＰＳベアラループバックテスト機能性と共に使用するための新たなテストモードにも関連づけられることは明らかであろう。このことは、例えば、ＲＲＣメッセージ及び／又は非ＲＲＣメッセージ内に適切な情報要素を含み、そのメッセージ内で示される従来型のテストモードの修正された利用を特定することにより達成され得る。
【００７９】
ステップＳ６０５において、先行するメッセージに応えて、移動通信装置３は、テストモードの有効化が成功したことを確認するためにＳＳエンティティ１１へ送信される、適切なアップリンク転送ＲＲＣメッセージに組み込まれるACTIVATE TEST MODE COMPLETEメッセージ（例えば、「ULInformationTransfer」メッセージ）を生成し、（そのＲＲＣモジュール８７及び送受信回路７１を用いて）送信する。
【００８０】
Ｓ６０７で全体的に示されるように、移動通信装置３は、現在、テストモードである。
【００８１】
次に、Ｓ６０９で全体に示されるように、（対応するネットワークエンティティとして動作し、連絡を取り合う）ＳＳエンティティ１１は、ステップＳ６０１における移動通信装置３の要求を受け入れる（accommodate）ために必要なアクションを実行する。このステップの結果として、（移動通信装置３がＰＧＷ１０とのデフォルト及び／又は専用のＥＰＳベアラとしてこれを認識するにもかかわらず、）移動通信装置３は、ＳＳエンティティ１１との有効なＥＰＳベアラを確立する。
【００８２】
ステップＳ６１１において、ＳＳエンティティ１１は、移動通信装置３をテストループモードへ入れるために、例えば、（そのＲＲＣモジュール６５により生成される）「DLInformationTransfer」ＲＲＣメッセージに組み込まれるCLOSE UE TEST LOOPメッセージを生成し、(そのＲＲＣモジュール６５及び送受信回路５１を用いて)送信する。ＳＳエンティティ１１は、ステップＳ６０３で使用されたＵＥテストループモードＩＥに対して同じ値を示す。本実施形態において、ＳＳエンティティ１１は、例えば、表１に関連して上述したように、選択的なループバック機能が移動通信装置３により適用されるべきＥＢＩ（群）を識別する情報要素を、このメッセージにも含める。
【００８３】
ステップＳ６１３において、選択されたＥＰＳベアラ（群）のためのループバックエンティティが生成されていて、（そのループバックモジュール８９を経由した）ループバックが識別された（選択された）ＥＰＳベアラ群を有効化していたことを確認するために、移動通信装置３は、ＳＳエンティティ１１へのCLOSE UE TEST LOOP COMPLETEメッセージ（例えば、「ULInformationTransfer」ＲＲＣメッセージ）を生成し、（そのＲＲＣモジュール８７及び送受信回路７１を用いて）送信する。
【００８４】
Ｓ６１５に示されるように、移動通信装置３は、ＳＳエンティティ１１から「EPSベアラID」ＩＥ内で（ステップＳ６１１において）受信された情報に応じてそのループバック機能を設定する。この点からループバック機能の無効化まで、（例えば、直接通信モジュール８５、及び／又は、通信制御モジュール８３において）他のベアラの終了が修正されないままであるが、ＳＳエンティティ１１により示されるＥＰＳベアラ（群）は、ループバックモジュール８９で終了される。
【００８５】
ステップＳ６１７において、ＳＳエンティティ１１は、移動通信装置３にそのテストループエンティティを無効化させる、移動通信装置３への（例えば、「DLInformationTransfer」ＲＲＣメッセージに組み込まれた）OPEN UE TEST LOOPメッセージを生成し、（そのＲＲＣモジュール６５及び送受信回路５１を用いて）送信する。
【００８６】
ステップＳ６１９において、移動通信装置３は、テストループエンティティの無効化が成功したことを確認するために、ＳＳエンティティ１１への（例えば、「ULInformationTransfer」ＲＲＣメッセージに組み込まれた）OPEN UE TEST LOOP COMPLETEメッセージを生成し、（そのＲＲＣモジュール８７及び送受信回路７１を用いて）送信する。
【００８７】
Ｓ６２１に示されるように、ＵＥテストループは、現在、正常に無効化される。
【００８８】
ステップＳ６２３において、ＳＳエンティティ１１は、（例えば、「DLInformationTransfer」ＲＲＣメッセージに組み込まれる）DEACTIVATE TEST MODEメッセージを生成し、（ＲＲＣモジュール６５及び送受信回路５１を用いて）移動通信装置３へ送信する。この手続きの目的は、従来技術に従って、ＵＥテストモードを無効化し、ＵＥを通常の動作へ戻すことである。
【００８９】
ステップＳ６２５において、DEACTIVATE TEST MODE COMPLETEは、ＵＥテストモードの無効化の完了を確認するために、（例えば、「ULInformationTransfer」ＲＲＣメッセージに組み込まれる）ＳＳへＵＥにより送信される。ステップＳ６２７において、ＵＥはテストモードから抜け出る。
【００９０】
上記提案の明らかな利益は、市場に移動通信装置（又は他のユーザ装置）をリリースするより前に、新機能を評価する可能性を認めることである。この方法は、例えば、ＩＰマルチメディアサブシステム（IP Multimedia Subsystem (IMS)）を経由して提供されるサービスのような、既存のサービスにも用いられ得る。当該提案は、他のデータサービス（例えばインターネット）がＳＳエンティティ１１へループバックされる間に、ＬＴＥ、及び／又は、例えば、ＩＭＳサービスの遵守を検証するために、任意のマルチサービステストケース（test case (TC)）設定を定義することを可能にする。
【００９１】
（変更形態及び代替形態）
詳細な実施形態が上述された。当業者に明らかなように、上述の実施形態に対し、いくつかの変更形態及び代替形態を作ることができ、その中で具現化される発明から利益を得ることができる。例示のために、これらの代替形態及び変更形態のいくつかについてのみ説明する。
【００９２】
上述の実施形態では、２つの移動通信装置は、お互いに、中継又は他の直接又は局所中継の接続を確立することが可能とされた。しかしながら、当業者に明らかなように、そのような接続は、移動通信装置のユーザが会議呼出設定（conference call setup）で共に接続されてもよいように、３以上の移動通信装置の間で確立されてもよい。
【００９３】
上述の実施形態では、移動通信装置は携帯電話（cellular telephones）である。しかしながら、例えば、ＭＴＣ（Machine Type Communication）装置、スマートフォン、ＰＤＡ（personal digital assistants）、ラップトップ型コンピュータ、ウェブブラウザ等のような他のタイプのユーザ装置を用いることができる。
【００９４】
同じ通信ネットワーク内の移動通信装置間の中継又は他の直接通信経路が説明されていたが、本発明にかかる通信経路に基づく近接は、異なる通信ネットワークに設置された移動通信装置間に設定してもよい。この場合、個別の移動通信装置に関するモビリティ管理エンティティ（及び、任意のケースにおいては基地局）は、異なるネットワークに設置されてもよい。ＳＳエンティティは、同様に、そのようなシナリオをテストするために動作してもよい。
【００９５】
上述の実施形態において、ＬＴＥ技術（すなわち、基地局と中継移動通信装置の間で使用される同一の通信技術）を用いる中継通信経路が説明された。しかしながら、通信経路は、（基地局と中継移動通信装置の間で使用される通信技術に関係なく）例えば、Ｗｉ−Ｆｉ、Bluetooth（登録商標）等の任意の通信技術を用いて中継されることがあきらかであろう。
【００９６】
ステップＳ６１７の上記記述において、ＳＳエンティティ１１は、移動通信装置３にそのテストループエンティティを完全に無効化させるOPEN UE TEST LOOPメッセージを生成し、送信する。しかしながら、他のすでにループされたＥＰＳベアラが変更されずに保持する間に、テストループエンティティは、例えば、移動通信装置３のループバックモジュール８９から削除されるべきであるそれらのＥＰＳベアラのＥＢＩ（群）を含むことにより、選択的に無効化されることが明らかであろう。例えば、選択的なループバック機能性は、ループバック有効化に関連付けられた値と同じ又は異なる値（例えば、「１」が有効化を示す場合に無効化についての「０」、又は、ループバックが前もって有効化されていたＥＰＳベアラの状態を、ループバックが無効化される状態へ変更するための「１」）にＥＰＳベアラのＥＢＩを設定することにより、任意の特定のＥＰＳベアラについて無効化されてもよい。
【００９７】
上述の説明において、システムシミュレータエンティティ１１は、移動通信装置３の適合性テストのため使用されることとして説明される。しかしながら、システムシミュレータエンティティ１１は、サービスに基づく近接に含まれる移動通信装置３についての非中継ＥＰＳベアラを処理する基地局５（及び／又は終了するＰＧＷ１０）をテストするために用いられてもよいことがあきらかであろう。
【００９８】
上述の説明において、システムシミュレータエンティティ１１は、独立したエンティティとして説明される。しかしながら、システムシミュレータエンティティ１１は、他の装置の一部として実装されても良いことがあきらかであろう。例えば、システムシミュレータエンティティ１１は、基地局５の一部を形成してもよい。この場合、（例えば、その移動通信装置３に対するそのようなサービスを有効化する前に）サービスに基づく近接の適合性及び／又は性能をテストするために、基地局５が移動通信装置３のループバック機能を制御することが有利であることがあきらかであろう。
【００９９】
別の実施形態では、ループバックモードは、移動通信装置の任意の既存の機能性及び／又はサービスが選択的に適用されてもよい。この場合、ＳＳエンティティは、（任意のＥＰＳベアラの識別の代わりに、又は、追加して）ループバックモジュールに関連付けられるための任意の選択的な機能性及び／又はサービスの識別を提供し、移動通信装置（例えばそのループバックモジュール８９）は、ループバック機能に、識別された機能性及び／又はサービスを適用する。
【０１００】
移動通信装置がループバック機能の適用を仕様書によりある機能性及び／又はサービスに制限するために構成されてもよいことがあきらかであろう。この場合、移動通信装置は、ＳＳエンティティにより提供される機能性及び／又はサービスの識別に関係なく、ループバック機能を、制限されないそれらの機能性及び／又はサービスのみに適用してもよい。
【０１０１】
上述の説明において、システムシミュレータエンティティ１１及び移動通信装置３は、多数の個別の機能のコンポーネント又はモジュールを有するとしてそれぞれ理解が説明される。これらのモジュールは、例えば、既存のシステムが本発明を実装するために修正されていた、あるアプリケーションについてこの方法で提供されてもよいが、他のアプリケーション、例えば、発生から考慮して発明の特徴を備えて設計されるシステムにおいて、これらのモジュールはオペレーティングシステム又はコードの全体に組み込まれても良く、従って、これらのモジュールが個別のエンティティとして識別できなくてもよい。
【０１０２】
上述の実施形態において、多数のソフトウェアモジュールが説明された。当業者に明らかなように、ソフトウェアモジュールは、コンパイルされるかコンパイルされない形式で提供されてもよく、コンピュータネットワーク、又は、記録媒体を介した信号として、モビリティ管理エンティティ、基地局、又は、移動通信装置に供給されてもよい。さらに、このソフトウェアの一部又は全体により実行される機能は、１以上の専用のハードウェア回路を用いて実行されてもよい。しかしながら、ソフトウェアモジュールの使用は、それらの機能を更新するために、モビリティ管理エンティティ９、基地局５、及び、移動通信装置３の更新を促進するように好まれる。
【０１０３】
ここではさらに詳細には説明しないが、当業者には種々の他の変形が明らかであろう。
【０１０４】
［３ＧＰＰ専門用語集］
D2D            - Device to Device
eNB            - Evolved NodeB, E-UTRAN base station
EPC            - Evolved Packet Core
EPS            - Evolved Packet System
E-UTRA        - Evolved UMTS Terrestrial Radio Access
E-UTRAN        - Evolved UMTS Terrestrial Radio Access Network
HSS            - Home Subscriber Server
LB            - Loopback
LTE            - Long Term Evolution (of UTRAN)
MME            - Mobility Management Entity
NAS            - Non-Access-Stratum
OAM            - Operation And Maintenance
P-GW          - PDN Gateway
ProSe        - Proximity-based Services
(E-)RAB        - (EPS-) Radio Access Bearer
RRC            - Radio Resource Control
S1-MME        - S1 for the control plane
S1-U          - S1 for the user plane
S-GW          - Serving Gateway
SS            - System Simulator
TFT            - Traffic Flow Template
UE            - User Equipment
UMTS          - Universal Mobile Telecommunications System
【０１０５】
ここではさらに詳細には説明しないが、当業者には種々の他の変形が明らかであろう。
【０１０６】
本ソフトウェアは、様々なタイプの非一時的なコンピュータ可読媒体（non-transitory computer readable media）を用いて格納され、コンピュータに供給することができる。非一時的なコンピュータ可読媒体は、様々なタイプの実体のある記録媒体（tangible storage media）を含む。本プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ(Read Only Memory)、ＣＤ−Ｒ（compact disc recordable）、ＣＤ−Ｒ／Ｗ（compact disc rewritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable media）によってコンピュータに供給されてもよい。一時的なコンピュータ可読媒体の例は、電気信号、光信号、及び電磁波を含む。一時的なコンピュータ可読媒体は、（電線及び光ファイバ等の）有線通信路、又は無線通信路を介して、プログラムをコンピュータに供給するために使用され得る。
上記の実施形態の一部又は全部は、以下の付記のようにも記載され得るが、以下には限られない。
（付記１）
通信装置の動作を監視する通信ネットワークテスト装置と通信するための通信装置であって、
前記通信装置は、
前記通信装置に関連付けられた複数の通信ベアラを運用する手段と、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、
前記部分集合内の各通信ベアラが使用され、かつ、前記部分集合以外の各通信ベアラが使用されないテストに従って、前記通信ネットワークテスト装置と通信する手段と、
を備える。
（付記２）
前記通信ネットワークテスト装置からメッセージを受信する手段をさらに備え、
前記メッセージは、前記部分集合内の各通信ベアラを識別するデータを含み、
前記判断する手段は、前記部分集合内の各通信ベアラを識別する前記データに基づいて前記部分集合を判断する
付記１に記載の通信装置。
（付記3）
前記通信ネットワークテスト装置からメッセージを受信する手段をさらに備え、
前記メッセージは、前記部分集合以外の各通信ベアラを識別するデータを備え、
前記判断する手段は、前記部分集合以外の各通信ベアラを識別する前記データに基づいて前記部分集合を判断する
付記１に記載の通信装置。
（付記4）
前記メッセージは、前記通信装置に関連付けられた前記複数の通信ベアラの各通信ベアラに関連付けられた少なくとも１つの個別のビットを含むビットパターンを備える
付記２又は３に記載の通信装置。
（付記5）
前記ビットのそれぞれは、前記通信ベアラが前記部分集合内である場合に、所定の値が設定される
付記４に記載の通信装置。
（付記6）
前記メッセージは、前記通信装置に関連付けられた前記複数の通信ベアラのデフォルトの通信ベアラに関連付けられた少なくとも１つの個別のビットを含むビットパターンを備える
付記２又は３に記載の通信装置。
（付記7）
前記ビットのそれぞれは、前記デフォルトの通信ベアラ及び任意の関連付けられた通信ベアラが前記部分集合内である場合に、所定の値が設定される
付記６に記載の通信装置。
（付記8）
前記メッセージは、前記部分集合の各通信ベアラについてのベアラ識別子（例えば、Evolved Packet System（EPS）ベアラID、又は、EBI）を含む
付記２から７のいずれか１項に記載の通信装置。
（付記9）
前記メッセージは、Non-Access Stratum（NAS）メッセージを含む
付記２から８のいずれか１項に記載の通信装置。
（付記10）
前記NASメッセージは、少なくとも１つのRadio Resource Control（RRC）メッセージに組み込まれる
付記９に記載の通信装置。
（付記11）
前記少なくとも１つのメッセージは、ダウンリンク情報転送メッセージを含む
付記１０に記載の通信装置。
（付記12）
前記テストは、ループバックテストである
付記１から１１のいずれか１項に記載の通信装置。
（付記13）
前記通信する手段は、前記部分集合の前記少なくとも１つの通信ベアラを用いて前記通信ネットワークテスト装置からテストパケットを受信する
付記１から１２のいずれか１項に記載の通信装置。
（付記14）
前記通信する手段は、前記テストの一部として、テストパケットを前記通信ネットワークテスト装置へ送信する
付記１から１３のいずれか１項に記載の通信装置。
（付記15）
前記複数の通信ベアラは、少なくとも１つのＥＰＳ通信ベアラを含む
付記１から１４のいずれか１項に記載の通信装置。
（付記16）
前記判断する手段は、前記部分集合が前記通信装置の少なくとも１つの特定の機能性（例えば、中継機能性（relay functionality）、又は、非中継機能性（non-relay functionality））に関連付けられていない通信ベアラであるように、通信ベアラを選択する
付記１から１５のいずれか１項に記載の通信装置。
（付記17）
前記判断する手段は、前記部分集合が前記通信装置の少なくとも１つの特定の機能性（例えば、中継機能性（relay functionality）、又は、非中継機能性（non-relay functionality））に関連付けられる通信ベアラであるように、通信ベアラを選択する
付記１から１６のいずれか１項に記載の通信装置。
（付記18）
前記判断する手段は、前記テストが開始されていた場合、前記テストが終了されることになっている前記部分集合の少なくとも１つの通信ベアラを判断する
付記１から１７のいずれか１項に記載の通信装置。
（付記19）
前記通信する手段は、前記テストが終了されることになっている前記部分集合の少なくとも１つの通信ベアラの終了（termination）を開始する（initiate）
付記１８に記載の通信装置。
（付記20）
前記通信する手段は、前記通信ネットワークテスト装置から前記テストを終了するためのメッセージを受信し、
前記テストを終了するためのメッセージは、前記テストが終了されることになっている各通信ベアラを識別するデータを含む
付記１９に記載の通信装置。
（付記21）
前記テストを終了するためのメッセージは、前記通信装置に関連付けられた前記複数の通信ベアラの各通信ベアラに関連付けられた少なくとも１つの個別のビットを含むビットパターンを備える
付記２０に記載の通信装置。
（付記22）
前記ビットのそれぞれは、前記テストが前記通信ベアラについて終了されることになっている場合、所定の値が設定される
付記２１に記載の通信装置。
（付記23）
前記メッセージは、前記テストが終了されることになっている前記部分集合の各通信ベアラについてのベアラ識別子（例えば、EPSベアラID、又は、EBI）を含む
付記２０又は２１に記載の通信装置。
（付記24）
前記メッセージは、ＮＡＳメッセージを含む
付記２０から２３のいずれか１項に記載の通信装置。
（付記25）
前記NASメッセージは、少なくとも１つのRRCメッセージに組み込まれる
付記２４に記載の通信装置。
（付記26）
前記少なくとも１つのメッセージは、ダウンリンク情報転送メッセージを含む
付記２５に記載の通信装置。
（付記２７）
通信装置の動作を監視するための通信ネットワークテスト装置であって、
前記通信ネットワークテスト装置は、
前記通信装置と通信する手段と、
前記通信装置に関連付けられた複数の通信ベアラのそれぞれを識別する手段と、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断する（determining）手段と、
前記部分集合内の各通信ベアラが使用され、かつ、前記部分集合以外の各通信ベアラが使用されないテストを開始する（initiating）手段と、
を備える。
（付記28）
前記開始する手段は、前記通信装置へメッセージを送信し、
前記メッセージは、前記部分集合内の各通信ベアラを識別するデータを含む
付記２７に記載の通信ネットワークテスト装置。
（付記29）
前記開始する手段は、前記通信装置へメッセージを送信し、
前記メッセージは、前記部分集合以外の各通信ベアラを識別するデータを含む
付記２７に記載の通信ネットワークテスト装置。
（付記30）
前記メッセージは、前記通信装置に関連付けられた前記複数の通信ベアラの各通信ベアラに関連付けられた少なくとも１つの個別のビットを含むビットパターンを備える
付記２８又は２９に記載の通信ネットワークテスト装置。
（付記31）
前記ビットのそれぞれは、前記通信ベアラが前記部分集合内である場合に、所定の値が設定される
付記３０に記載の通信ネットワークテスト装置。
（付記32）
前記メッセージは、前記通信装置に関連付けられた前記複数の通信ベアラのデフォルトの通信ベアラに関連付けられた少なくとも１つの個別のビットを含むビットパターンを備える
付記２８又は２９に記載の通信ネットワークテスト装置。
（付記33）
前記ビットのそれぞれは、前記デフォルトの通信ベアラ及び任意の関連付けられた通信ベアラが前記部分集合内である場合に、所定の値が設定される
付記３２に記載の通信ネットワークテスト装置。
（付記34）
前記メッセージは、前記部分集合の各通信ベアラについてのベアラ識別子（例えば、Evolved Packet System（EPS）ベアラID、又は、EBI）を含む
付記２８から３３のいずれか１項に記載の通信ネットワークテスト装置。
（付記35）
前記メッセージは、Non-Access Stratum（NAS）メッセージを含む
付記２８から３４のいずれか１項に記載の通信ネットワークテスト装置。
（付記36）
前記NASメッセージは、少なくとも１つのRadio Resource Control（RRC）メッセージに組み込まれる
付記３５に記載の通信ネットワークテスト装置。
（付記37）
前記少なくとも１つのメッセージは、ダウンリンク情報転送メッセージを含む
付記３６に記載の通信ネットワークテスト装置。
（付記38）
前記開始する手段により開始される前記テストは、ループバックテストである
付記２７から３７のいずれか１項に記載の通信ネットワークテスト装置。
（付記39）
前記通信する手段は、前記部分集合の前記少なくとも１つの通信ベアラを用いて前記通信装置へテストパケットを送信する
付記２７から３８のいずれか１項に記載の通信ネットワークテスト装置。
（付記40）
前記通信する手段は、前記テストの一部として、テストパケットを前記通信装置から受信する
付記２７から３９のいずれか１項に記載の通信ネットワークテスト装置。
（付記41）
前記複数の通信ベアラは、少なくとも１つのＥＰＳ通信ベアラを含む
付記２７から４０のいずれか１項に記載の通信ネットワークテスト装置。
（付記42）
前記判断する手段は、前記部分集合が前記通信装置の少なくとも１つの特定の機能性（例えば、中継機能性（relay functionality）、又は、非中継機能性（non-relay functionality））に関連付けられていない通信ベアラであるように、通信ベアラを選択する
付記２７から４１のいずれか１項に記載の通信ネットワークテスト装置。
（付記43）
前記判断する手段は、前記部分集合が前記通信装置の少なくとも１つの特定の機能性（例えば、中継機能性（relay functionality）、又は、非中継機能性（non-relay functionality））に関連付けられる通信ベアラであるように、通信ベアラを選択する
付記２７から４２のいずれか１項に記載の通信ネットワークテスト装置。
（付記44）
前記判断する手段は、前記テストが開始されていた場合、前記テストが終了されることになっている前記部分集合の少なくとも１つの通信ベアラを判断する
付記２７から４３のいずれか１項に記載の通信ネットワークテスト装置。
（付記45）
前記開始する手段は、前記テストが終了されることになっている前記部分集合の少なくとも１つの通信ベアラの終了（termination）を開始する（initiate）
付記４４に記載の通信ネットワークテスト装置。
（付記46）
前記開始する手段は、前記通信装置へ前記テストを終了するためのメッセージを受信し、
前記テストを終了するためのメッセージは、前記テストが終了されることになっている各通信ベアラを識別するデータを含む
付記４５に記載の通信ネットワークテスト装置。
（付記47）
前記テストを終了するためのメッセージは、前記通信装置に関連付けられた前記複数の通信ベアラの各通信ベアラに関連付けられた少なくとも１つの個別のビットを含むビットパターンを備える
付記４６に記載の通信ネットワークテスト装置。
（付記48）
前記ビットのそれぞれは、前記テストが前記通信ベアラについて終了されることになっている場合、所定の値が設定される
付記４７に記載の通信ネットワークテスト装置。
（付記49）
前記メッセージは、前記テストが終了されることになっている前記部分集合の各通信ベアラについてのベアラ識別子（例えば、EPSベアラID、又は、EBI）を含む
付記４６から４８のいずれか１項に記載の通信ネットワークテスト装置。
（付記50）
前記メッセージは、ＮＡＳメッセージを含む
付記４６から４９のいずれか１項に記載の通信ネットワークテスト装置。
（付記51）
前記NASメッセージは、少なくとも１つのRRCメッセージに組み込まれる
付記５０に記載の通信ネットワークテスト装置。
（付記52）
前記少なくとも１つのメッセージは、ダウンリンク情報転送メッセージを含む
付記５１に記載の通信ネットワークテスト装置。
（付記53）
通信装置の動作を監視する通信ネットワークテスト装置と通信するための通信装置であって、
前記通信装置は、
前記通信装置に関連付けられた複数の通信ベアラを運用し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determine）、
前記部分集合内の各通信ベアラが使用され、かつ、前記部分集合以外の各通信ベアラが使用されないテストに従って、前記通信ネットワークテスト装置と通信する
プロセッサを備える。
（付記54）
通信装置の動作を監視するための通信ネットワークテスト装置であって、
前記通信ネットワークテスト装置は、
前記通信装置と通信し、
前記通信装置に関連付けられた複数の通信ベアラのそれぞれを識別し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determine）、
前記部分集合内の各通信ベアラが使用され、かつ、前記部分集合以外の各通信ベアラが使用されないテストを開始する（initiate）
プロセッサを備える。
（付記55）
付記１から２６及び５３のいずれか１項に記載の前記通信装置、及び、付記２７から５２及び５４のいずれか１項に記載の前記通信ネットワークテスト装置を備える通信システム。
（付記56）
通信装置の動作を監視する通信ネットワークテスト装置と通信するための通信装置により実行される方法であって、
前記方法は、
前記通信装置に関連付けられた複数の通信ベアラを確立し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストに従って、前記通信ネットワークテスト装置と通信する。
（付記57）
通信装置の動作を監視するための通信ネットワークテスト装置により実行される方法であって、
前記方法は、
前記通信装置と通信し、
前記通信装置に関連付けられた複数の通信ベアラのそれぞれを識別し、
テストを実行する時に使用されるために、前記複数の通信ベアラから選択された、少なくとも１つの通信ベアラを備え、かつ、前記複数の通信ベアラの少なくとも１つの他の通信ベアラを備えない部分集合（subset）を判断し（determining）、
前記部分集合内の各通信ベアラが使用され、かつ、前記部分集合以外の各通信ベアラが使用されないテストを開始する（initiate）。
（付記58）
付記１から２６又は５３のいずれか１項に記載の前記通信装置、及び、付記２７から５２又は５４のいずれか１項に記載の前記通信ネットワークテスト装置を制御する処理をコンピュータに実行させる制御プログラムを格納する非一時的なコンピュータ可読媒体。
【０１０７】
本出願は、２０１３年３月２８日に出願された英国特許出願第１３０５８２１．９号からの優先権の利益を主張し、該特許出願の開示は参照によりその全体が本明細書に援用される。
【符号の説明】
【０１０８】
１  通信システム
３、３−１、３−２、３−３  移動通信装置
５、５−１、５−２  E-UTRAN 基地局 (eNB)
７  コアネットワーク
８  serving GW (S-GW)
９  mobility management entity (MME)
１０  PDN GW (P-GW)
１１  システムシミュレータ（system simulator (SS)）エンティティ
１２  エンドポイント
５１  送受信回路
５３  アンテナ
５５  ユーザインタフェース
５７  コントローラ
５９  メモリ
６１  オペレーティングシステム
６３  通信制御モジュール
６５  無線リソース制御（Radio Resource Control (RRC)）モジュール
６６  シミュレーションモジュール
６７  ループバックモジュール
７１  送受信回路
７３  アンテナ
７５  ユーザインタフェース
７７  コントローラ
７９  メモリ
８１  オペレーティングシステム
８３  通信制御モジュール
８５  直接通信モジュール
８７  無線リソース制御（Radio Resource Control (RRC)）モジュール
８９  ループバックモジュール
【図１】
0006269659.tif 000003
【図２】
0006269659.tif 000004
【図３】
0006269659.tif 000005
【図４】
0006269659.tif 000006
【図５】
0006269659.tif 000007
【図６】
0006269659.tif 000008
【図７】
0006269659.tif 000009
【図８】
0006269659.tif 000010